(57)【特許請求の範囲】
【請求項１】
昇降路頂部近傍に設置される巻上機と、前記昇降路内を昇降可能な乗かごおよびつり合いおもりと、一方が前記乗かごに、他方が前記つり合いおもりに連結されるか巻掛けられ、かつその中間部が前記巻上機のシーブに巻き掛けられる複数本の主ロープを備え、この主ロープを既設のものから新設のものへと交換する際に用いられるエレベータの主ロープ交換方法において、
前記乗かごおよび前記つり合いおもりを固定し、次いで、既設主ロープの一端に新設主ロープの一端を接続し、この後、前記シーブと前記主ロープ間に前記主ロープの移動時に生じる摩擦力を低減する前記シーブの溝に嵌合する嵌合体を介設するとともに、前記シーブの凸部より高く突出して前記主ロープの移動時における隣り合う主ロープの干渉を防止する案内体を前記シーブの凸部上に配置し、次に、引き込み手段により前記新設主ロープが接続された前記既設主ロープを他端側から順次引き込んで前記新設主ロープを掛け渡すことを特徴とするエレベータの主ロープ交換方法。
【請求項２】
昇降路頂部近傍に設置される巻上機と、前記昇降路内を昇降可能な乗かごおよびつり合いおもりと、一方が前記乗かごに、他方が前記つり合いおもりに連結されるか巻掛けられ、かつその中間部が前記巻上機のシーブに巻き掛けられる複数本の主ロープを備え、この主ロープを既設のものから新設のものへと交換する際に用いられるエレベータの主ロープ交換装置において、
既設主ロープの一端に新設主ロープの一端を接続するロープ接続手段と、前記新設主ロープが接続された前記既設主ロープを他端側から順次引き込む引き込み手段と、前記シーブと前記主ロープ間に介設され、前記主ロープの移動時に生じる摩擦力を低減する前記シーブの溝に嵌合する嵌合体と、前記シーブの凸部上に配置され、当該凸部より高く突出して前記主ロープの移動時における隣り合う主ロープの干渉を防止する案内体とを備えたことを特徴とするエレベータの主ロープ交換装置。
【発明の詳細な説明】
【０００１】
【発明の属する技術分野】
本発明は、主ロープを既設のものから新設のものへと交換する際に用いられるエレベータの主ロープ交換方法とその装置に関する。
【０００２】
【従来の技術】
従来、主ロープを既設のものから新設のものへと交換する場合、例えば特開平７−２５２０５２号公報に記載されるように、既設主ロープのうちの少なくとも１本を巻上機に設置された案内装置に掛け替えるとともに、前記案内装置に掛けられた前記既設主ロープの両端部を乗かごおよびつり合いおもりから取り外し、その一端部に新設主ロープを接続する。次いで、前記案内装置に掛けられた主ロープをこの案内装置の案内で移動させた後、前記新設主ロープから前記既設主ロープを切り離し、前記新設主ロープの一端を前記乗かご、他端を前記つり合いおもりにそれぞれ接続する工程からなるエレベータの主ロープ交換方法が提案されている。
【０００３】
また、特開平２−２４９８８５号公報に記載されるように、まず、つり合いおもりを昇降路下部にて台により保持するとともに、乗かごを昇降路上部にてチェーンブロックで吊り上げた後、ロープ把持装置を前記つり合いおもりの上方に配置し、既設主ロープを把持する。次いで、既設主ロープのつり合いおもり側の端部をロープ止め金具から切り離して、その端部にドラムにより新設主ロープを接続するとともに、乗かご側の端部をロープ止め金具から切り離して、その端部をドラムに取付ける。この後、巻上機を低速にて作動させ、既設主ロープをドラムに巻き取るとともに、新設主ロープをドラムから繰り出し、この新設主ロープを順次掛け渡す。そして、新設主ロープのそれぞれの端部をロープ止め金具に接続する工程からなるエレベータの主ロープ交換方法が提案されている。
【０００４】
【発明が解決しようとする課題】
ところで、前述した従来の前者の方法では、案内装置を配置するために、例えば機械室の天井部にアンカーボルト等を新規に設ける必要があった。また、天井部以外に配置する場合、前記機械室内に枠体を設置する必要があり、この枠体の設置作業に労力を要するとともに、比較的狭い機械室への前記枠体の設置に伴う作業性および安全性の低下を免れなかった。
【０００５】
また、前述した従来の後者の方法では、巻上機を作動させて主ロープの交換作業を行うため、例えば６本の主ロープ掛けのものであれば、６本を同時に交換可能であるが、新設主ロープ６本と、既設主ロープ６本を配置する領域が必要となり、この比較的広い領域が確保できない場合に、主ロープ交換を分割して行うことができないという問題があった。
【０００６】
本発明はこのような従来技術における実情に鑑みてなされたもので、その目的は、特別な加工や枠体を要することなく、かつ分割して主ロープ交換を行うことのできるエレベータの主ロープ交換方法とその装置を提供することにある。
【０００７】
【課題を解決するための手段】
この目的を達成するために本発明の請求項１記載の発明は、昇降路頂部近傍に設置される巻上機と、前記昇降路内を昇降可能な乗かごおよびつり合いおもりと、一方が前記乗かごに、他方が前記つり合いおもりに連結されるか巻掛けられ、かつその中間部が前記巻上機のシーブに巻き掛けられる複数本の主ロープを備え、この主ロープを既設のものから新設のものへと交換する際に用いられるエレベータの主ロープ交換方法において、
前記乗かごおよび前記つり合いおもりを固定し、次いで、既設主ロープの一端に新設主ロープの一端を接続し、この後、前記シーブと前記主ロープ間に前記主ロープの移動時に生じる摩擦力を低減する前記シーブの溝に嵌合する嵌合体を介設するとともに、前記シーブの凸部より高く突出して前記主ロープの移動時における隣り合う主ロープの干渉を防止する案内体を前記シーブの凸部上に配置し、次に、引き込み手段により前記新設主ロープが接続された前記既設主ロープを他端側から順次引き込んで前記新設主ロープを掛け渡すようにしてある。
【０００８】
前記のように構成した本発明の請求項１記載の発明によれば、まず、前記乗かごおよび前記つり合いおもりを所定の位置で固定し、次いで、既設主ロープのどちらか一端に新設主ロープの一端を接続する。この後、前記シーブと前記主ロープ間に前記主ロープの移動時に生じる摩擦力を低減する前記シーブの溝に嵌合する嵌合体を介設するとともに、前記シーブの凸部より高く突出して前記主ロープの移動時における隣り合う主ロープの干渉を防止する案内体を前記シーブの凸部上に配置し、次に、前記引き込み手段により前記新設主ロープが接続された前記既設主ロープを他端側から順次引き込み、前記新設主ロープを掛け渡す。これによって、従来のような特別な加工や枠体を要することないとともに、巻上機の作動を必要とせずに前記引き込み手段により順次主ロープを引き込むため、分割して主ロープ交換を行うことができる。
【０００９】
昇降路頂部近傍に設置される巻上機と、前記昇降路内を昇降可能な乗かごおよびつり合いおもりと、一方が前記乗かごに、他方が前記つり合いおもりに連結されるか巻掛けられ、かつその中間部が前記巻上機のシーブに巻き掛けられる複数本の主ロープを備え、この主ロープを既設のものから新設のものへと交換する際に用いられるエレベータの主ロープ交換装置において、既設主ロープの一端に新設主ロープの一端を接続するロープ接続手段と、前記新設主ロープが接続された前記既設主ロープを他端側から順次引き込む引き込み手段と、前記シーブと前記主ロープ間に介設され、前記主ロープの移動時に生じる摩擦力を低減する前記シーブの溝に嵌合する嵌合体と、前記シーブの凸部上に配置され、当該凸部より高く突出して前記主ロープの移動時における隣り合う主ロープの緩衝を防止する案内体とを備えた構成にしてある。
【００１０】
前記のように構成した本発明の請求項２記載の発明によれば、まず、前記乗かごおよび前記つり合いおもりを所定の位置で固定し、次いで、既設主ロープのどちらか一端に新設主ロープの一端を接続する。この後、前記シーブと前記主ロープ間に前記主ロープの移動時に生じる摩擦力を低減する前記シーブの溝に嵌合する嵌合体を介設するとともに、前記シーブの凸部より高く突出して前記主ロープの移動時における隣り合う主ロープの緩衝を防止する案内体を前記シーブの凸部上に配置し、次に、前記引き込み手段により前記新設主ロープが接続された前記既設主ロープを他端側から順次引き込み、前記新設主ロープを掛け渡す。このように前記引き込み手段により順次主ロープを引き込むが、このとき前記嵌合体及び案内体により引き込み自重を低減できるため前記引き込み手段を小型かつ軽量なものとすることが可能であり、したがって、従来のような特別な加工や枠体を要することない。また、巻上機の作動を必要とせずに前記引き込み手段により順次主ロープを引き込むため、分割して主ロープ交換を行うことができる。
【００１１】
【発明の実施の形態】
以下、本発明のエレベータの主ロープ交換方法とその装置の実施の形態を図に基づいて説明する。
【００１２】
図１は本発明のエレベータの主ロープ交換装置の一実施形態を示す縦断面図、図２は本発明のエレベータの主ロープ交換方法を示すフローチャート、図３は図１の主ロープ交換装置のロープ案内手段を示す要部拡大図、図４は主ロープが巻き掛けられる巻上機を示す要部拡大図、図５は図１の主ロープ交換装置のロープ接続手段を示す要部拡大図である。
【００１３】
エレベータは一般に図１に示すように、昇降路１上方の機械室２に設置されるマシーンビーム１９上に配置される巻上機３と、この巻上機３のシーブ３ａに中間部が巻き掛けられ、両側部が昇降路１内で懸垂されてそれぞれループ状に形成され、かつ両端部が機械室２の床２ａにロープ止め金具１０、１１を介してそれぞれ支持される例えば６本の既設主ロープ４と、この既設主ロープ４の一方の懸垂部分に係合するプーリ５を上部に備え、このプーリ５を介し昇降路１内で吊り上げられる乗かご６と、既設主ロープ４の他方の懸垂部分に係合するプーリ７を上部に備え、このプーリ７を介し昇降路１内で吊り上げられるつり合いおもり８と、機械室２に設置され、既設主ロープ４が巻き掛けられるそらせ車プーリ９とを有している。
【００１４】
そして、本実施形態の主ロープ交換装置は、主ロープ交換の際に昇降路1下部のピット１８に設置され、乗かご６およびつり合いおもり８のいずれか一方の昇降体、例えば図１においてはつり合いおもり８を保持する保持台１２と、機械室2に設置され、他方の昇降体、例えば図1においては乗かご６を昇降路1上部に吊り上げた状態で保持するチェーンブロック１３と、新設主ロープ２０をガイドするガイド手段１４ａ、１４ｂと、乗かご６上に設置され、新設主ロープ２０が接続された既設主ロープ４を順次引き込む引き込み手段１５と、既設主ロープ４を例えばつり合いおもり用レール８ａに固定する固定体１６と、既設主ロープ４の一端に新設主ロープ２０の一端を接続するロープ接続手段、例えばロープ接続体１７と、エレベータホール２４に配置され、新設主ロープ２０が巻かれたドラム２８と、引き込み手段１５により引き込まれた既設主ロープ４を収納する収納容器２１と、図３に示すようにシーブ３ａと既設主ロープ４ｄ、４ｅ、４ｆ、４ｇ、４ｈ、４ｉ間に介設され、この既設主ロープ４ｄ〜４ｉの移動時に生じる摩擦力を低減するロープ案内手段、例えばシーブ３ａの各溝部３３に嵌合される嵌合体３０ａ、３０ｂ、３０ｃ、３０ｄ、３０ｅ、３０ｆと、シーブ３ａの凸部３４間に掛け渡して配置され隣り合う既設主ロープ４ｄ〜４ｉが干渉しないようにする案内体３１ａ、３１ｂ、３１ｃとを備えている。なお、前述した引き込み手段１５は、動力によりドラムを回転させてロープを巻き取るものよりも、エンドレスにロープを送り出す方式が望ましく、本実施形態は後者のものとなっている。
【００１５】
この実施形態にあっては図２に示すように、まず手順Ｓ１として昇降路1下部のピット１８に保持台１２を設置し、この保持台１２にてつり合いおもり８を保持するとともに、マシーンビーム１９にチェーンブック１３を設置し、このチェーンブロック１３を乗かご６に係合させ、あらかじめ算出される新設主ロープ２０の初期伸びの長さ寸法分巻き上げた状態で保持する。次いで、手順Ｓ２として引き込み手段１５を乗かご６上の図示しないクロスヘッドに固定し、手順Ｓ３として既設主ロープ４を例えばつり合いおもり用レール８ａに固定体１６により固定する。この後、手順Ｓ４として既設主ロープを手順Ｓ３で示した固定位置より機械室２側で切断するとともに、この既設主ロープ４を乗かご６上のプーリ５とロープ止め金具１０との間にて切断し、エレベータホール２４に設置されたドラム２８からガイド手段１４ａ、１４ｂを介して新設主ロープ２０を引き込み、この新設主ロープ２０と既設主ロープ４とをロープ接続体１７により接続する。このロープ接続体１７は図５に示すように、それぞれのロープ４、２０を付き合わせた部分を包むように設置され、互いのロープ４、２０が引っ張られることにより円筒形の網状に形成されたロープ接続体１７が収縮することによりそれぞれのロープ４、２０を接続するようになっている。
【００１６】
次に、手順Ｓ５として図４に示すようにシーブ３ａにて既設主ロープ４ｄ〜４ｉを持ち上げ、図３に示すようにシーブ３ａと既設主ロープ４ｄ〜４ｉ間に嵌合体３０ａ〜３０ｆを介設し、この既設主ロープ４ｄ〜４ｉの移動時に生じる摩擦力を低減するとともに、シーブ３ａの凸部間に案内体３１ａ〜３１ｃを掛け渡すようにして配置し、隣り合う既設主ロープ４ｄ〜４ｉが移動時に干渉しないようにする。そして、手順Ｓ６として既設主ロープ４を引き込み手段１５に装着し、手順Ｓ７として引き込み手段１５を動作させ、既設主ロープ４を順次引き込んで収納容器２１に収納するとともに、新設主ロープ２０はプーリ７、そらせ車プーリ９、シーブ３ａ、プーリ５を順次通過して掛け渡されていく。このときシーブ３ａを当初は既設主ロープ４、次いで新設主ロープ２０が順次移動するが、前述したようにシーブ３ａと既設主ロープ４ないし新設主ロープ２０との間に嵌合体３０ａ〜３０ｆが介設されているため、移動時に生じる摩擦力が低減される。この後、手順Ｓ８として新設主ロープ２０のそれぞれの端部をロープ止め金具１０、１１に接続する。この一連の工程を６本の既設主ロープ４および新設主ロープ２０に対して順次行っていく。次いで、手順Ｓ９としてチェーンブロック１３を緩め新設主ロープ２０により乗かご６を吊り下げ、新設主ロープ２０のロープテンション調整をロープ止め金具１０、１１により行い、ロープ交換作業が完了する。
【００１７】
このように構成した本実施形態では、引き込み手段１５により順次主ロープ４、２０を引き込むが、このときロープ案内手段、すなわち嵌合体３０ａ〜３０ｆにより引き込み自重を低減できるため引き込み手段１５を小型かつ軽量なものとすることが可能であり、したがって、従来のような特別な加工や枠体を要することない。また、巻上機３の作動を必要とせずに引き込み手段１５により順次主ロープ４、２０を引き込むため、分割して主ロープ交換を行うことができる。
【００１８】
図６は図３に示したロープ案内手段の他の実施形態を示す要部拡大図である。
【００１９】
他の実施形態のロープ案内手段３２は図６に示すように、例えばシーブ３ａの各溝部３３に装着され、既設主ロープ４ｄ〜４ｉが比較的小さな接地面積にて係合可能な溝部からなる嵌合体３２ａと、シーブ３ａの凸部３４より高く突出して隣り合う既設主ロープ４ｄ〜４ｉが移動時に干渉しないようにする他の案内体３２ｂを備えている。
【００２０】
他の実施形態にあっては前述した手順Ｓ５にてシーブ３ａと既設主ロープ４ｄ〜４ｉ間にロープ案内手段を介設する場合、シーブ３ａにて既設主ロープ４ｄ〜４ｉを持ち上げ、図６に示すようにシーブ３ａと既設主ロープ４ｄ〜４ｉ間に他の案内手段３２の嵌合体３２ａを介設し、シーブ３ａの凸部３４より高く突出して隣り合う既設主ロープ４ｄ〜４ｉが移動時に干渉しないようにする案内体３２ｂを備えているので、この既設主ロープ４ｄ〜４ｉの移動時に生じる摩擦力を低減する。
【００２１】
また、他の実施形態として、図１に示すような昇降路１の上部に機械室２が設置されず、巻上機３が昇降路１の上方に設置されているエレベータの全体図を図８に示す。
【００２２】
図８において乗かご６は昇降路１内に装着されたかご側ガイドレール６ａ，６ｂに沿って垂直に走行する。つり合いおもり８もまた昇降路１内に設置されたつり合いおもり側ガイドレール８ａ，８ｂに沿って垂直に走行する。乗かご６およびつり合いおもり８はロープ４によって支持され、走行する。ロープ４は２つの端部を有し数本の平行なロープから成る。巻上機３は、これらのガイドレール６ｂ，８ｂの内の１本６ｂの上端部に装着されている。この巻上機３にはシーブ３ａが設けられている。ロープ４の両端のうちの一方はガイドレール６ａの上端部へロープ止め金具１０によって固定され、そこからこのロープ４はガイドレール６ｂの上端部に装着された巻上機３のシーブ３ａへ送られる。ここから、ロープ４はつり合いおもり８のプーリ７を介し、つり合いおもり側ガイドレール８ｂの上端部に装着されたロープ止め金具１１まで送られて固定される。このような構成のエレベータのロープ交換を行う場合において、図１の場合と異なる点は、既設主ロープ４は、乗かご６の下部のプーリ４０ａ，４０ｂを介し、ロープ止め金具１０へ立上がるので、ガイド手段１４ｃを追加し、このガイド手段１４ｃを介してロープ４の引込み手段１５へ装着される。よってこのような構造のエレベータにおいても図２に示す工程で既設主ロープ４を新設主ロープ２０へ交換することができる。
【００２３】
このように構成した他の実施形態では、前述と同様に引き込み手段１５により順次主ロープ４、２０を引き込むが、このときロープ案内手段、すなわち他の案内手段３２の嵌合体３２ａ及び案内体３２ｂにより引き込み自重を低減できるため引き込み手段１５を小型かつ軽量なものとすることが可能であり、したがって、従来のような特別な加工や枠体を要することない。
【００２４】
図７は図５に示すロープ接続手段の他の実施形態を示す要部拡大図である。
【００２５】
他の実施形態のロープ接続手段は図７に示すように、例えば既設主ロープ４および新設主ロープ２０の端部をほぐすことにより形成されるストランド４ａとストランド２０ａ、ストランド４ｂとストランド２０ｂおよびストランド４ｃとストランド２０ｃをそれぞれ圧着接続する圧着部材２２ａ、２２ｂ、２２ｃを備えている。
【００２６】
他の実施形態にあっては、前述した手順Ｓ４にて既設主ロープ４の一端に新設主ロープ２０の一端を接続する場合、既設主ロープ４および新設主ロープ２０の端部をほぐし、ストランド４ａとストランド２０ａ、ストランド４ｂとストランド２０ｂおよびストランド４ｃとストランド２０ｃをそれぞれ圧着部材２２ａ〜２２ｃにより圧着接続し、接続部の断面径が既設主ロープ４および新設主ロープ２０の断面径より小さくなるようにする。
【００２７】
【発明の効果】
本発明は以上のように構成したので、小型かつ軽量な引き込み手段により主ロープの交換作業を行うため、従来のような特別な加工や枠体を要することなく、したがって、作業性や安全性を向上することができる。
【００２８】
また、分割して主ロープ交換を行うことができ、これによって、比較的小規模の作業領域しか確保できないエレベータであっても主ロープの交換作業を円滑に行うことができる。
【図面の簡単な説明】
【図１】本発明のエレベータの主ロープ交換装置の一実施形態を示す縦断面図である。
【図２】本発明のエレベータの主ロープ交換方法を示すフローチャートである。
【図３】図１の主ロープ交換装置のロープ案内手段を示す要部拡大図である。
【図４】主ロープが巻き掛けられる巻上機を示す要部拡大図である。
【図５】図１の主ロープ交換装置のロープ接続手段を示す要部拡大図である。
【図６】図３に示したロープ案内手段の他の実施形態を示す要部拡大図である。
【図７】図５に示すロープ接続手段の他の実施形態を示す要部拡大図である。
【図８】本発明のエレベータの主ロープ交換装置の他の実施形態を示す縦断面図である。
【符号の説明】
１  昇降路
２  機械室
３  巻上機
３ａ  シーブ
４  既設主ロープ
５、７  プーリ
６  乗かご
６ａ，６ｂ  かご側ガイドレール
８  つり合いおもり
８ａ，８ｂ  つり合いおもり側ガイドレール
９  そらせ車プーリ
１０、１１  ロープ止め金具
１２  保持台
１３  チェーンブロック
１４ｃ  ガイド手段
１５  引き込み手段
１７  ロープ接続体（ロープ接続手段）
２０  新設主ロープ
２１  収納容器
２２ａ、２２ｂ、２２ｃ  圧着部材（ロープ接続手段）
２８  ドラム
３０ａ、３０ｂ、３０ｃ、３０ｄ、３０ｅ、３０ｆ  嵌合体（ロープ案内手段）
３１ａ、３１ｂ、３１ｃ  案内体（ロープ案内手段）
３２  他の案内体（ロープ案内手段）
４０ａ，４０ｂ  かご下プーリ
【図１】
0003841616.tif 000002
【図２】
0003841616.tif 000003
【図３】
0003841616.tif 000004
【図４】
0003841616.tif 000005
【図５】
0003841616.tif 000006
【図６】
0003841616.tif 000007
【図７】
0003841616.tif 000008
【図８】
0003841616.tif 000009